(57)【要約】      （修正有）【課題】庭に敷き詰められている石に点在させても全く庭の美感を損わず、侵入者が踏むと鳴き、くつ踏み状態から離脱しても鳴き侵入者を家の者たちに迅速且確実に知らしめる防犯グッズを提供する。【解決手段】中空部１にして、且上面部２と下面部３が稍フラット状の復元可能な可撓材からなる偏平状復元グッズ本体ａを形成し、前記復元グッズ本体ａの外側周縁部４に押圧すると鳴き出し、押圧を中止すると鳴き止む構造の鳴き笛ｂを装着した。また、前記復元本体ａの上面部２と下面部３に、外側方に膨らんだ突出部５を形成した。【選択図】図４
0003175242.tif 000002
【実用新案登録請求の範囲】
【請求項１】
中空部１にして、且上面部２と下面部３が稍フラット状の復元可能な可撓材からなる偏平状復元グッズ本体ａを形成し、前記復元グッズ本体ａの外側周縁部４に押圧すると鳴き出し、押圧を中止すると鳴き止む構造の鳴き笛ｂを装着せしめることを特徴とする防犯グッズ。
【請求項２】
前記復元グッズ本体ａの上面部２と下面部３に、外側に稍膨らんだ突出部５を形成せしめることを特徴とする請求項１に記載の防犯グッズ。
【請求項３】
前記突出部５が、前記復元本体ａの上面部２と下面部３の外径よりも小径とすることを特徴とする請求項１又は同２に記載の防犯グッズ。
【請求項４】
前記偏平状復元グッズ本体ａを、合成樹脂製又はポリプロピレン樹脂製又はＥＶＡ製とすることを特徴とする請求項１又は同２又は同３に記載の防犯グッズ。
【請求項５】
前記偏平状復元グッズ本体ａの表面部を敷石等の色彩と同系色にて形成することを特徴とする請求項１又は同２又は同３又は同４に記載の防犯グッズ。
【考案の詳細な説明】
【技術分野】
【０００１】
本考案は、一般人等が居住する家屋の庭や家廻りのドア等の外側部周辺に点在させて置いておき、人間がくつ等で踏むと鳴き音を発してびっくりさせ、同時に居住者らに知らしめる防犯グッズの分野に関するものである。
【背景技術】
【０００２】
従来、防犯マットとして特開２００９−８７３０７公開特許公報が開示されている。
【０００３】
この防犯マットは、上部シートと下部シートの間に複数個の弾性材を挿着し、各弾性材の一側面に穴を開けて笛を挿着する。そして上部シートと下部シートの間に弾力性のある音の出る穴を付けたエアーボックスを挟み、上部シートを踏んだときに弾力性のあるエアーボックスがへこみ、音の出る穴から空気が出るときに鳴り、足を離したとき、空気が入るときにふくらんで鳴るしくみの防犯マットである。
【０００４】
さらに、この発明は、家に侵入者が入って来たとき、この防犯マットの上に乗るとピーピーと音がするので侵入者がおどろき、また、家に居る人が音に気が付き、早い対処が出来るものである。
【０００５】
また、この発明は、工事が不用で、必要な場所に置くだけなので簡単に使えると共に、不用のときは巻いて置くことができるものである。
【先行技術文献】
【特許文献】
【０００６】
【特許文献１】特開２００９−８７３０７公開特許公報
【考案の概要】
【考案が解決しようとする課題】
【０００７】
前記した従来開示の防犯マットは、図面にて図示されているとおり、シート状にして、しかも意外に広く、使用場所も室内用であって、室外での使用は想定外のものである。
【０００８】
しかるに、本考案の防犯グッズは、室外にて使用することを前提としたものであって、室内では使用しないことを解決しようとする課題としている。
【０００９】
さらに、本考案の防犯グッズは、室外、殊に庭等に敷きつめられている敷石の１つとして、敷石の形状、形態にして形成し、敷石の一部に混ざり合って置かれ、侵入者に気付かぬようにすることを解決しようとする課題としている。
【００１０】
また、本考案の防犯グッズは、庭等に敷き詰められている際に、風雨にさらされても、付着した雨水の流水をスムーズにして他の敷石と変わらぬ状態にしておくと共に、踏まれても直ちに復元し、長期間にわたり使用可能にしたことを解決しようとする課題としている。
【００１１】
さらに、本考案の防犯グッズは、庭に敷かれた小石等の敷石と同系色にして庭全体の美感を損わないようにすることを解決しようとする課題としている。
【課題を解決するための手段】
【００１２】
請求項１記載の考案の課題を解決するための手段としては、中空部１にして、且上面部２と下面部３が稍フラット状の復元可能な可撓材からなる偏平状復元グッズ本体ａを形成し、前記復元グッズ本体ａの外側周縁部４に押圧すると鳴き出し、押圧を中止すると鳴き止む構造の鳴き笛ｂを装着せしめることを特徴とする防犯グッズである。
【００１３】
請求項２記載の考案の課題を解決するための手段としては、前記復元本体ａの上面部２と下面部３に、外側方に膨らんだ突出部５を形成せしめることを特徴とする請求項１に記載の防犯グッズである。
【００１４】
請求項３記載の考案の課題を解決するための手段としては、前記突出部５が、前記復元本体ａの上面部２と下面部３の外径よりも小径とすることを特徴とする請求項１又は同２に記載の防犯グッズである。
【００１５】
請求項４記載の考案の課題を解決するための手段としては、前記偏平状復元グッズ本体ａを、合成樹脂製又はポリプロピレン樹脂製又はＥＶＡ製とすることを特徴とする請求項１又は同２又は同３に記載の防犯グッズである。
【００１６】
請求項５記載の考案の課題を解決するための手段としては、前記偏平状復元グッズ本体ａの表面部を敷石等の色彩と同系色にて形成することを特徴とする請求項１又は同２又は同３又は同４に記載の防犯グッズである。
【考案の効果】
【００１７】
請求項１記載の考案は、中空部１にして、且上面部２と下面部３が稍フラット状の復元可能な可撓材からなる偏平状復元グッズ本体ａを形成し、前記復元グッズ本体ａの外側周縁部４に押圧すると鳴き出し、押圧を中止すると鳴き止む構造の鳴き笛ｂを装着せしめる防犯グッズなので、庭に敷き詰められている石に点在させても全く庭の美感を損わず、且侵入者が踏むと鳴き、くつ踏み状態から離脱しても鳴き侵入者を家の者たちに迅速且確実に知らしめることができる利点を有している。
【００１８】
さらに、請求項２に記載の考案は、前記復元グッズ本体ａの上面部２と下面部３に、外側方に稍膨らんだ突出部５を形成せしめることを特徴とする請求項１に記載の防犯グッズなので、降雨があっても、降雨を確実に流出せしめ雨水を付着しない状態を常時可能にしたので、滑ったりしない。そのため安心して使用できる。
【００１９】
また、本考案は、降雨が防犯グッズの表面部に付着していないので、製品の劣悪化を防止し、製品の寿命を長期間確保できる。
【００２０】
さらに、本考案は、雨水が防犯グッズの鳴き笛から内部に侵入し貯まっても、防犯グッズを押圧させれば、雨水を鳴き笛から確実に外側に放出できる。
【００２１】
請求項３に記載の考案は、前記突出部５が、前記復元本体ａの上面部２と下面部３の外径よりも小径とする防犯グッズなので、前記請求項１、２に記載の考案と同じ効果を有している。
【００２２】
請求項４に記載の考案は、前記偏平状復元グッズ本体ａを、合成樹脂製又はポリプロピレン製又はＥＶＡ製とする防犯グッズなので、前記請求項１又は同２又は同３に記載の考案と同じ効果を有している。
【００２３】
請求項５に記載の考案は、前記偏平状復元グッズ本体ａの表面部を敷石等の色彩と同系色にて形成する防犯グッズなので、前記請求項１又は同２又は同３又は同４に記載の考案と同じ効果を有している。
【図面の簡単な説明】
【００２４】
【図１】本考案防犯グッズの平面図である。
【００２５】
【図２】同防犯グッズの斜視図である。
【００２６】
【図３】同防犯グッズの正面図である。
【００２７】
【図４】同防犯グッズの縦断正面図である。
【００２８】
【図５】同防犯グッズの使用する庭の斜視図である。
【考案を実施するための最良の形態】
【００２９】
請求項１〜５記載の考案の実施形態は、共通しているので、一括して以下のとおり説明する。
【００３０】
図において、ａは偏平状復元グッズ本体であり、以下の構成からなっている。
【００３１】
内側は中空部１にして、且上面部２と下面部３が稍フラット状の復元可能な可撓材製であり、合成樹脂製又はポリプロピレン樹脂製又はＥＶＡ製（ゴム製）とする。
【００３２】
４は前記復元グッズ本体ａの外側周縁部の膨出部であり、この膨出部４には押圧すると鳴き出し、押圧を中止すると鳴き止む構造の鳴き笛ｂを単数もしくは複数装着せしめる。
【００３３】
さらに、前記復元グッズ本体ａを構成する上面部２と下面部３に、外側方に膨らんだ突出部５を形成せしめる。また下面部３を厚目に形成してもよい。
【００３４】
前記突出部５は、上面部２のみに形成してもよいが、通常両面に夫々突設する。
【００３５】
前記突出部５は、前記復元本体ａの上面部２と下面部３の外径よりも小径にして形成する。
【００３６】
前記偏平状復元グッズ本体ａの表面部の色彩は、敷石等の色彩と同系色とする。
【００３７】
前記鳴き笛ｂは、くつ等に踏まれても破損しない堅固な資材で形成する。
【００３８】
上記のような構成からなる本考案の防犯グッズは、通常一般家屋の庭ｃ等に点在させて使用する。
【００３９】
さらに、前記防犯グッズは、前記復元本体ａの表面部２もしくは下面部３に雨水が付着しても、突出部５が突出形状となっているので、したたり落ちる。そのため雨水が貯まりつづけることはない。
【００４０】
また本考案の防犯グッズは、くつに踏まれると、前記グッズ本体ａの中空部１内に充満しているエアーが排出し鳴き出し、くつ踏み状態を解除すると、エアーが中空部１内に侵入充満する。
【符号の説明】
【００４１】
ａ      グッズ本体
ｂ      鳴き笛
ｃ      庭
１      中空部
２      上面部
３      下面部
４      膨出部
５      突出部
【図１】
0003175242.tif 000003
【図２】
0003175242.tif 000004
【図３】
0003175242.tif 000005
【図４】
0003175242.tif 000006
【図５】
0003175242.tif 000007